(57)【要約】【課題】集客力を高めることができる情報提供システムを提供する。【解決手段】歩行経路に沿って略同一高さで、かつ、略同一間隔を置いて配置される３台以上の画像表示装置１と、全ての画像表示装置１に同一画像を同期して表示するための画像同期手段２と、各画像表示装置２に表示する同一画像を店舗毎又は売場毎に作成された一纏まりの複数の静止画像として記憶する静止画像記憶手段３と、静止画像記憶手段３に記憶されている一纏まりの複数の静止画像をスライドショー表示するスライドショー表示手段４と、スライドショー表示手段４で一纏まりの複数の静止画像をスライドショー表示する表示時間を歩行経路に沿って歩行する歩行者の歩行速度に応じて設定する表示時間設定手段５を備えた。【選択図】図１
2015200694.tif 000002
【特許請求の範囲】
【請求項１】
歩行経路に沿って略同一高さで、かつ、略同一間隔を置いて配置される３台以上の画像表示装置と、該全ての画像表示装置に同一画像を同期して表示するための画像同期手段と、各画像表示装置に表示する同一画像を店舗毎又は売場毎に作成された一纏まりの複数の静止画像として記憶する静止画像記憶手段と、前記静止画像記憶手段に記憶されている一纏まりの複数の静止画像を所定時間内で順次切り替えながら前記画像表示装置にスライドショー表示するスライドショー表示手段と、前記スライドショー表示手段で一纏まりの複数の静止画像をスライドショー表示する表示時間を歩行経路に沿って歩行する歩行者の歩行速度に応じて設定する表示時間設定手段と、
を備えていることを特徴とする情報提供システム。
【請求項２】
歩行者が、歩行開始時に視認可能な第１番目に位置する画像表示装置から第３番目又は第４番目又は第５番目に位置する画像表示装置へ達した時点で、前記スライドショー表示手段によるスライドショー表示が終了するように、前記表示時間設定手段の表示時間を設定したことを特徴とする請求項１に記載の情報提供システム。
【請求項３】
歩行者の歩行速度を検出する歩行速度検出手段を設け、該歩行速度検出手段により検出される複数の歩行速度を合計して、その平均値を算出する歩行速度平均値算出手段を設け、前記歩行速度平均値算出手段により算出された平均値に基づいて、前記表示時間設定手段により設定される表示時間を変更する表示時間変更手段を備えたことを特徴とする請求項１又は２に記載の情報提供システム。
【請求項４】
前記画像表示装置は、歩行経路の左右両側のうちの少なくとも一側に、歩行者の視線が進行方向前方斜め下方にある状態で視認可能となる高さ位置で配置されていることを特徴とする請求項１〜３のいずれか１項に記載の情報提供システム。
【発明の詳細な説明】
【技術分野】
【０００１】
本発明は、商業施設内の各店舗や各売場の宣伝を行うための情報提供システムに関する。
【背景技術】
【０００２】
従来から、商業施設内に複数のディスプレイが設けられ、それら複数のディスプレイのうちの選択されたディスプレイに、特定の店舗や売場に関連付けられた情報を動画像で表示することが行われている。この表示される動画像を来店客が見ることによって、店舗や売場の宣伝が行われ、来店客を店舗や売場へ誘導することが期待されている（例えば特許文献１参照）。
【先行技術文献】
【特許文献】
【０００３】
【特許文献１】特開２０１０−２１０７８１号公報
【発明の概要】
【発明が解決しようとする課題】
【０００４】
上記特許文献１の構成では、選択された特定のディスプレイに動画像が表示されているのであるが、その動画像を来店客が好んで見るとも限らない。なぜならば、来店客のほとんどが、店舗や売場を歩き回って商品等を確認することが多く、わざわざ動画像を見るために、そのディスプレイの付近に所定時間留まることがないのが現状である。従って、上記構成のディスプレイでは、来店客に店舗や売場の宣伝を十分に伝えることができず、集客力を高めることができないものであり、改善の余地があった。
【０００５】
本発明は前述の状況に鑑み、解決しようとするところは、集客力を高めることができる情報提供システムを提供するものである。
【課題を解決するための手段】
【０００６】
本発明の情報提供システムは、前述の課題解決のために、歩行経路に沿って略同一高さで、かつ、略同一間隔を置いて配置される３台以上の画像表示装置と、該全ての画像表示装置に同一画像を同期して表示するための画像同期手段と、各画像表示装置に表示する同一画像を店舗毎又は売場毎に作成された一纏まりの複数の静止画像として記憶する静止画像記憶手段と、前記静止画像記憶手段に記憶されている一纏まりの複数の静止画像を所定時間内で順次切り替えながら前記画像表示装置にスライドショー表示するスライドショー表示手段と、前記スライドショー表示手段で一纏まりの複数の静止画像をスライドショー表示する表示時間を歩行経路に沿って歩行する歩行者の歩行速度に応じて設定する表示時間設定手段と、を備えていることを特徴としている。
【０００７】
本発明によれば、来店客が店内の歩行経路に沿って歩行すると、略同一高さで、かつ、略同一間隔を置いて配置している画像表示装置に表示される画像が、来店客の視野に自ずと入り易くなる。これら画像表示装置に表示される画像は、同一画像を同期して表示する構成であるため、歩行者は歩行しているにも係らず、画像が途切れることがない。しかも、表示される画像が、店舗毎又は売場毎に作成された一纏まりの関連付けられた複数の静止画像をスライドショー表示で見る、つまり所定時間内で順次切り替えながら画像表示装置に表示される静止画像を見ることによって、動きの変化が多い動画像を見る場合に比べて、来店客の脳裏に各静止画像を確実に記憶させることができる。しかも、複数の静止画像の表示時間が、表示時間設定手段により歩行者の歩行速度に応じて設定されているから、来店客は、それら複数の静止画像を視認し易くなり、来店客の脳裏に各静止画像をより一層確実に記憶させることができる。
【０００８】
又、本発明の情報提供システムは、歩行者が、歩行開始時に視認可能な第１番目に位置する画像表示装置から第３番目又は第４番目又は第５番目に位置する画像表示装置へ達した時点で、前記スライドショー表示手段によるスライドショー表示が終了するように、前記表示時間設定手段の表示時間を設定することが好ましい。
【０００９】
上記のように、歩行者が歩行開始時に視認可能な第１番目に位置する画像表示装置から第３番目又は第４番目又は５番目に位置する画像表示装置へ達した時点で、スライドショー表示手段によるスライドショー表示が終了するように構成しておけば、スライドショー表示の終了時間（再生時間）と画像表示装置とを関係付けることができるので、スライドショー表示の終了を区切りよく行うことができるだけでなく、各店舗又は各売場の宣伝を効率よく行うことができる。これにより、来店客は、複数の静止画像が益々脳裏に記憶され易くなり、静止画像を見るだけで店舗又は売場のイメージを確実に捉えることができる。従って、来店客を店舗又は売場へ確実に誘導することができる。
【００１０】
又、本発明の情報提供システムは、歩行者の歩行速度を検出する歩行速度検出手段を設け、該歩行速度検出手段により検出される複数の歩行速度を合計して、その平均値を算出する歩行速度平均値算出手段を設け、前記歩行速度平均値算出手段により算出された平均値に基づいて、前記表示時間設定手段により設定される表示時間を変更する表示時間変更手段を備えていることが好ましい。
【００１１】
上記のように、歩行速度平均値算出手段により算出される歩行速度の平均値に基づいて表示時間変更手段がスライドショーの表示時間を変更するので、来店した来店客の歩行速度にできるだけ近づけることができる。よって、来店客を店舗又は売場へより一層確実に誘導することができる。
【００１２】
又、本発明の情報提供システムは、前記画像表示装置は、歩行経路の左右両側のうちの少なくとも一側で、かつ、歩行者の視線が進行方向前方斜め下方にあるときに視認可能となる高さ位置に配置されていることが好ましい。
【００１３】
上記のように、画像表示装置を、歩行者の視線が進行方向前方斜め下方にあるときに視認可能となる高さ位置に配置しておけば、歩行時に転ぶことがないように下を見ながら歩くことが多い習性を有効利用することができ、歩行している人の視界に画像表示装置に表示される画像が自ずと入り易くなる。
【発明の効果】
【００１４】
本発明によれば、複数の静止画像を来店客の歩行速度に応じてスライドショー表示で来店客に見せることによって、動きの変化が多い動画像を見る場合に比べて、来店客の脳裏に各静止画像を確実に記憶させることができ、集客力を高めることができる情報提供システムを提供することができる。
【図面の簡単な説明】
【００１５】
【図１】本発明の情報提供システムの基本構成を示すブロック図である。
【図２】本発明の情報提供システムを構成するディスプレイの配置を示すショッピングセンターの平面図である。
【図３】本発明の情報提供システムを構成するディスプレイが取り付けられている箇所のショッピングセンターの斜視図である。
【発明を実施するための形態】
【００１６】
図１に、本発明の情報提供システムの基本構成を示している。情報提供システムは、多数（３台以上）の画像表示装置１と、全ての画像表示装置１に同一画像を同期して表示するための画像同期手段２と、各画像表示装置１に表示される同一画像を店舗毎又は売場毎に作成された一纏まりの複数の静止画像として記憶する静止画像記憶手段３と、静止画像記憶手段３に記憶されている一纏まりの複数の静止画像を所定時間内で順次切り替えながら画像表示装置１にスライドショー表示するスライドショー表示手段４と、スライドショー表示手段４で一纏まりの複数の静止画像をスライドショー表示する表示時間を歩行経路Ｈ１，Ｈ２に沿って歩行する歩行者の歩行速度に応じて設定する表示時間設定手段５を、ホストコンピュータを有する制御部Ｚに備えて構成されている。
【００１７】
画像表示装置１は、画像を表示する画面と音声を流すことができるスピーカーとを備えている。従って、音声を流さないで静止画像のみを表示する構成とすることもできるし、音声を流しながら静止画像を表示する構成とすることもできる。この画像表示装置１としては、液晶表示装置（図３参照）やプラズマ表示装置の他、ＣＲＴを用いることができる。
【００１８】
画像同期手段２は、各画像表示装置１にケーブルによって接続されている。この画像同期手段２は、映像信号を例えばインターネットを介して伝送する際に映像信号を圧縮する、又は伸張するために要する処理時間のバラツキにより生じる時間の変動を吸収することによって、画像表示装置１同士間での映像信号の同期を取りながら画像を出力する手段である。具体的には、画像の再生のタイミングを生成するホストコンピュータと特定台数の画像表示装置１に画像信号を出力するパソコンの複数とをＬＡＮで接続し、ホストコンピュータから全てのパソコンに対して同期信号を一斉に配信することによって、各画像表示装置１，１同士間の同期を取るための手段である。
【００１９】
静止画像記憶手段３は、店舗毎又は売場毎に作成された一纏まりの複数の静止画像を記憶すべく、ハードディスクから構成されているが、フレキシブルディスク、磁気テープ、メモリカードなどから構成することもできる。静止画像は、例えばデジタルカメラで撮影した画像データを編集して得た各店舗又は各売場において関連した複数枚の画像である。また、ビデオ撮影した動画のアナログビデオ信号をデジタル変換して得られる画像データを一枚の静止画像として変換してもよいし、デジタルビデオ信号を直接静止画像に変換することもできる。
【００２０】
スライドショー表示手段４は、静止画像記憶手段３に記憶されている複数の静止画像を所定時間内で順次切り替えながら画像表示装置１にスライドショー表示する手段である。そして、スライドショー表示手段４からの静止画像は、画像同期手段２により各画像表示装置１，１同士間の同期が取られた状態で各画像表示装置１へ転送されるようになっている。
【００２１】
表示時間設定手段５は、歩行者の歩行速度に基づいて、各静止画像毎の表示時間を設定するための手段であり、歩行速度が速ければ速いほど各静止画像を表示する時間が短くなるように設定される。
【００２２】
更に、前記ホストコンピュータを有する制御部Ｚに次の３つの手段を備えている。つまり、歩行者の歩行速度を検出する歩行速度検出手段１０と、歩行速度検出手段１０により検出される複数の歩行速度を合計して、その平均値を算出する歩行速度平均値算出手段１１と、歩行速度平均値算出手段１１により算出された平均値に基づいて、前述した表示時間設定手段５により設定される表示時間を変更する表示時間変更手段１２とを備える。
【００２３】
歩行速度検出手段１０は、例えば歩行者をカメラにより撮像された全ての歩行者の位置を記憶しておき、記憶した位置から全ての歩行者が予め決められた所定時間内に移動したときの移動距離を制御部Ｚへ入力し、制御部Ｚが移動距離と所定時間（移動時間）とから全ての歩行速度を算出する手段である。
【００２４】
歩行速度平均値算出手段１１は、歩行速度検出手段１０により算出された全ての歩行速度と歩行者数とから歩行速度平均値を算出する手段であり、制御部Ｚが算出する。
【００２５】
表示時間変更手段１２は、表示時間設定手段５により設定されている表示時間と制御部Ｚが算出した歩行速度平均値とが一致しているか否かを判断し、異なっている場合にのみ、歩行速度を算出した歩行速度平均値に変更する手段である。尚、情報提供システムを起動するまでは、歩行者の一般的な歩行速度又は予め決められた歩行速度に設定されている。
【００２６】
上記のように、歩行速度平均値算出手段１１により算出される歩行速度の平均値に基づいて表示時間変更手段１２がスライドショーの表示時間を変更するので、来店した来店客の歩行速度にできるだけ近づけることができる。よって、来店客を店舗又は売場へより一層確実に誘導することができる。
【００２７】
多数の画像表示装置１を商業施設の一例であるショッピングセンターの２Ｆにおける吹き抜け部分を構成する床の壁面に設置した例を、図２に示している。また、図３は、図２における特定の吹き抜け部分である第１エリアＬ１を矢印Ａの方向から見たときの斜視図である。
【００２８】
図２は、ショッピングセンターの２Ｆフロアーの平面図を示し、第１エリア１では、９台の画像表示装置１を設置した場合を示している。また、第２エリアＬ２では、８台の画像表示装置１を設置した場合を示している。また、第３エリアＬ３では、９台の画像表示装置１を設置した場合を示している。また、第４エリアＬ４では、６台の画像表示装置１を設置した場合を示している。また、第５エリアＬ５では、７台の画像表示装置１を設置した場合を示している。図２では、全部で３９台の画像表示装置１を示しているが、画像表示装置１の台数は、自由に設定できる。
【００２９】
前記エリアＬ１〜Ｌ５の内側と外側には、矢印で示す２つの歩行経路Ｈ１，Ｈ２が形成されている。これら歩行経路Ｈ１，Ｈ２に沿うように画像表示装置１が設置されている。図２の内側に位置する歩行経路Ｈ１の内側に、多数（図では９つ）の店舗Ｓ１〜Ｓ９が存在している。また、図２の外側に位置する歩行経路Ｈ２の外側にも店舗や売場が存在するが、図２では省略している。また、図３で示している落下防止柵７は、図２では省略している。
【００３０】
また、全ての画像表示装置１が、略同一高さで、かつ、略同一間隔Ｔを置いて配置されている。具体的には、図３に示すように、各画像表示装置１は、２Ｆの床の横側面６に取り付けられ、かつ、２Ｆの床面から画像表示装置１の上端までの上下距離が２０ｃｍになるように取り付けられている。前記上下距離は、１０ｃｍ〜３０ｃｍの間の任意の数値に設定することができる。また、歩行方向で隣り合う画像表示装置１，１間の間隔Ｔが８．４ｍに設定されているが、７ｍ〜１０ｍの任意の数値に設定することが好ましい。図３では、画像表示装置１が、歩行経路Ｈ１又はＨ２の左右方向一側に、歩行者の視線が進行方向前方斜め下方にある状態で視認可能となる高さ位置で配置されている。
【００３１】
図３に示す７は、落下防止柵である。この落下防止柵７は、多数の透明な樹脂板８で構成されており、背の低い子供でも、透明な樹脂板８を介して前記画像表示装置１の画像を見ることができるようになっている。図３では、大人（歩行者）９が落下防止柵７の上から画像表示装置１を見ている状態を示している。
【００３２】
そして、歩行者９が、図３に示すように、歩行開始時に視認可能な第１番目に位置する画像表示装置１Ａから第４番目に位置する画像表示装置１Ｄへ達した時点（２５．２ｍ歩行した時点）で、スライドショー表示手段４によるスライドショー表示が終了するように、表示時間設定手段５の表示時間を設定している。
【００３３】
例えば、歩行者９が時速２ｋｍで２５．２ｍを歩行すると、歩行時間が約４５秒となり、例えば静止画像が５枚の場合には、一枚の静止画像の表示時間をほぼ９秒に設定すれば、第１番目の画像表示装置１Ａから静止画像の表示が開始されると、第２番目及び第３番目の画像表示装置１Ｂ，１Ｃを順に歩行し、第４番目の画像表示装置１Ｄへ達した時点で一纏まりの５枚の静止画像の表示が終了することになる。
【００３４】
上記のように構成することによって、来店客９が店内の歩行経路Ｈ２に沿って歩行すると、略同一高さで、かつ、略同一間隔を置いて配置している画像表示装置１に表示される画像が、来店客９の視野に自ずと入り易くなる。これら画像表示装置１に表示される画像は、同一画像を同期して表示する構成であるため、歩行者９は歩行しているにも係らず、画像が途切れることがない。しかも、表示される画像が、店舗毎又は売場毎に作成された一纏まりの関連付けられた複数の静止画像をスライドショー表示で見る、つまり所定時間内で順次切り替えながら画像表示装置１に表示される静止画像を見ることによって、動画をスローモーションで見ることができるので、動きの変化が多い動画像を見る場合に比べて、来店客の脳裏に各静止画像を確実に記憶させることができる。しかも、複数の静止画像の表示時間が、表示時間設定手段５により歩行者（来店客）９の歩行速度に応じて設定されているから、来店客９は、それら複数の静止画像を視認し易くなり、来店客９の脳裏に各静止画像をより一層確実に記憶させることができる。ここでは、５２インチの大きさの画像表示装置１を用いているが、来店客９が画像表示装置１に表示される画像を容易に視認できる大きさであれば、どのような大きさの画像表示装置１であってもよい。
【００３５】
また、歩行者が歩行開始時に視認可能な第１番目の画像表示装置１Ａから第４番目の画像表示装置１Ｄへ達した時点で、スライドショー表示手段４によるスライドショー表示が終了するように構成しておけば、スライドショー表示の終了時間（再生時間）と画像表示装置とを関係付けることができるので、スライドショー表示の終了を区切りよく行うことができるだけでなく、各店舗又は各売場の宣伝を効率よく行うことができる。これにより、来店客９は、複数の静止画像が益々脳裏に記憶され易くなり、静止画像を見るだけで店舗又は売場のイメージを確実に捉えることができる。従って、来店客を店舗又は売場へ確実に誘導することができる。
【００３６】
また、画像表示装置１を、歩行者の視線が進行方向前方斜め下方にあるときに視認可能となる高さ位置に配置しているため、歩行時に転ぶことがないように下を見ながら歩くことが多い習性を利用することによって、歩行している人の視界に画像表示装置が自ずと入り易くなる。
【００３７】
尚、本発明は、上記実施形態に限定されるものではなく、本発明の要旨を逸脱しない範囲で種々の変更が可能である。
【００３８】
上記実施形態では、歩行者が視認可能な第１番目の画像表示装置１Ａから第４番目の画像表示装置１Ｄへ達した時点でスライドショー表示が終了するように構成したが、第１番目の画像表示装置１Ａから第３番目の画像表示装置１Ｄへ達した時点、あるいは第１番目の画像表示装置１Ａから第５番目の画像表示装置１Ｄへ達した時点でスライドショー表示が終了するように構成してもよい。
【００３９】
また、上記実施形態では、画像表示装置１を、歩行経路Ｈ１又はＨ２の左右両側のうちの一側に、歩行者の視線が進行方向前方斜め下方にある状態で視認可能となる高さ位置で配置したが、歩行経路Ｈ１又はＨ２の左右両側に、歩行者の視線が進行方向前方斜め下方にある状態で視認可能となる高さ位置で配置してもよい。また、画像表示装置１の高さを、歩行している歩行者の目の高さとほぼ同じ高さ、例えば床面から１５０ｃｍ〜１９０ｃｍまでの任意の高さに設定してもよい。
【符号の説明】
【００４０】
１…画像表示装置、２…画像同期手段、３…静止画像記憶手段、４…スライドショー表示手段、５…表示時間設定手段、６…横側面、７…落下防止柵、８…樹脂板、９…歩行者（来店客）、Ｈ１，Ｈ２…歩行経路、Ｌ１-Ｌ５…エリア、Ｓ１-Ｓ９…店舗、Ｔ…間隔、Ｚ…制御部
【図１】
2015200694.tif 000003
【図２】
2015200694.tif 000004
【図３】
2015200694.tif 000005
【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
歩行経路に沿って略同一高さで、かつ、略同一間隔を置いて配置される３台以上の画像表示装置と、該全ての画像表示装置に同一画像を同期して表示するための画像同期手段と、各画像表示装置に表示する同一画像を店舗毎又は売場毎に作成された一纏まりの複数の静止画像として記憶する静止画像記憶手段と、前記静止画像記憶手段に記憶されている一纏まりの複数の静止画像を所定時間内で順次切り替えながら前記画像表示装置にスライドショー表示するスライドショー表示手段と、前記スライドショー表示手段で一纏まりの複数の静止画像をスライドショー表示する表示時間を歩行経路に沿って歩行する歩行者の歩行速度に応じて設定する表示時間設定手段とを備え、
歩行者が、歩行開始時に視認可能な第１番目に位置する画像表示装置から第３番目又は第４番目又は第５番目に位置する画像表示装置へ達した時点で、前記スライドショー表示手段によるスライドショー表示が終了するように、前記表示時間設定手段の表示時間を設定したことを特徴とする情報提供システム。
【請求項２】
歩行経路に沿って略同一高さで、かつ、略同一間隔を置いて配置される３台以上の画像表示装置と、該全ての画像表示装置に同一画像を同期して表示するための画像同期手段と、各画像表示装置に表示する同一画像を店舗毎又は売場毎に作成された一纏まりの複数の静止画像として記憶する静止画像記憶手段と、前記静止画像記憶手段に記憶されている一纏まりの複数の静止画像を所定時間内で順次切り替えながら前記画像表示装置にスライドショー表示するスライドショー表示手段と、前記スライドショー表示手段で一纏まりの複数の静止画像をスライドショー表示する表示時間を歩行経路に沿って歩行する歩行者の歩行速度に応じて設定する表示時間設定手段とを備え、
歩行者の歩行速度を検出する歩行速度検出手段を設け、該歩行速度検出手段により検出される複数の歩行速度を合計して、その平均値を算出する歩行速度平均値算出手段を設け、前記歩行速度平均値算出手段により算出された平均値に基づいて、前記表示時間設定手段により設定される表示時間を変更する表示時間変更手段を備えたことを特徴とする情報提供システム。
【請求項３】
前記画像表示装置は、歩行経路の左右両側のうちの少なくとも一側に、歩行者の視線が進行方向前方斜め下方にある状態で視認可能となる高さ位置で配置されていることを特徴とする請求項１又は２に記載の情報提供システム。
【手続補正２】
【補正対象書類名】明細書
【補正対象項目名】０００６
【補正方法】変更
【補正の内容】
【０００６】
本発明の情報提供システムは、前述の課題解決のために、歩行経路に沿って略同一高さで、かつ、略同一間隔を置いて配置される３台以上の画像表示装置と、該全ての画像表示装置に同一画像を同期して表示するための画像同期手段と、各画像表示装置に表示する同一画像を店舗毎又は売場毎に作成された一纏まりの複数の静止画像として記憶する静止画像記憶手段と、前記静止画像記憶手段に記憶されている一纏まりの複数の静止画像を所定時間内で順次切り替えながら前記画像表示装置にスライドショー表示するスライドショー表示手段と、前記スライドショー表示手段で一纏まりの複数の静止画像をスライドショー表示する表示時間を歩行経路に沿って歩行する歩行者の歩行速度に応じて設定する表示時間設定手段とを備え、歩行者が、歩行開始時に視認可能な第１番目に位置する画像表示装置から第３番目又は第４番目又は第５番目に位置する画像表示装置へ達した時点で、前記スライドショー表示手段によるスライドショー表示が終了するように、前記表示時間設定手段の表示時間を設定したことを特徴としている。
【手続補正３】
【補正対象書類名】明細書
【補正対象項目名】０００７
【補正方法】変更
【補正の内容】
【０００７】
本発明によれば、来店客が店内の歩行経路に沿って歩行すると、略同一高さで、かつ、略同一間隔を置いて配置している画像表示装置に表示される画像が、来店客の視野に自ずと入り易くなる。これら画像表示装置に表示される画像は、同一画像を同期して表示する構成であるため、歩行者は歩行しているにも係らず、画像が途切れることがない。しかも、表示される画像が、店舗毎又は売場毎に作成された一纏まりの関連付けられた複数の静止画像をスライドショー表示で見る、つまり所定時間内で順次切り替えながら画像表示装置に表示される静止画像を見ることによって、動きの変化が多い動画像を見る場合に比べて、来店客の脳裏に各静止画像を確実に記憶させることができる。しかも、複数の静止画像の表示時間が、表示時間設定手段により歩行者の歩行速度に応じて設定されているから、来店客は、それら複数の静止画像を視認し易くなり、来店客の脳裏に各静止画像をより一層確実に記憶させることができる。
又、上記のように、歩行者が歩行開始時に視認可能な第１番目に位置する画像表示装置から第３番目又は第４番目又は第５番目に位置する画像表示装置へ達した時点で、スライドショー表示手段によるスライドショー表示が終了するように構成することによって、スライドショー表示の終了時間（再生時間）と画像表示装置とを関係付けることができるので、スライドショー表示の終了を区切りよく行うことができるだけでなく、各店舗又は各売場の宣伝を効率よく行うことができる。これにより、来店客は、複数の静止画像が益々脳裏に記憶され易くなり、静止画像を見るだけで店舗又は売場のイメージを確実に捉えることができる。従って、来店客を店舗又は売場へ確実に誘導することができる。
【手続補正４】
【補正対象書類名】明細書
【補正対象項目名】０００８
【補正方法】変更
【補正の内容】
【０００８】
又、本発明の情報提供システムは、歩行経路に沿って略同一高さで、かつ、略同一間隔を置いて配置される３台以上の画像表示装置と、該全ての画像表示装置に同一画像を同期して表示するための画像同期手段と、各画像表示装置に表示する同一画像を店舗毎又は売場毎に作成された一纏まりの複数の静止画像として記憶する静止画像記憶手段と、前記静止画像記憶手段に記憶されている一纏まりの複数の静止画像を所定時間内で順次切り替えながら前記画像表示装置にスライドショー表示するスライドショー表示手段と、前記スライドショー表示手段で一纏まりの複数の静止画像をスライドショー表示する表示時間を歩行経路に沿って歩行する歩行者の歩行速度に応じて設定する表示時間設定手段とを備え、歩行者の歩行速度を検出する歩行速度検出手段を設け、該歩行速度検出手段により検出される複数の歩行速度を合計して、その平均値を算出する歩行速度平均値算出手段を設け、前記歩行速度平均値算出手段により算出された平均値に基づいて、前記表示時間設定手段により設定される表示時間を変更する表示時間変更手段を備えたことを特徴とする。
【手続補正５】
【補正対象書類名】明細書
【補正対象項目名】０００９
【補正方法】変更
【補正の内容】
【０００９】
本発明によれば、来店客が店内の歩行経路に沿って歩行すると、略同一高さで、かつ、略同一間隔を置いて配置している画像表示装置に表示される画像が、来店客の視野に自ずと入り易くなる。これら画像表示装置に表示される画像は、同一画像を同期して表示する構成であるため、歩行者は歩行しているにも係らず、画像が途切れることがない。しかも、表示される画像が、店舗毎又は売場毎に作成された一纏まりの関連付けられた複数の静止画像をスライドショー表示で見る、つまり所定時間内で順次切り替えながら画像表示装置に表示される静止画像を見ることによって、動きの変化が多い動画像を見る場合に比べて、来店客の脳裏に各静止画像を確実に記憶させることができる。しかも、複数の静止画像の表示時間が、表示時間設定手段により歩行者の歩行速度に応じて設定されているから、来店客は、それら複数の静止画像を視認し易くなり、来店客の脳裏に各静止画像をより一層確実に記憶させることができる。
又、上記のように、歩行速度平均値算出手段により算出される歩行速度の平均値に基づいて表示時間変更手段がスライドショーの表示時間を変更するので、来店した来店客の歩行速度にできるだけ近づけることができる。よって、来店客を店舗又は売場へより一層確実に誘導することができる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】